(57)【特許請求の範囲】
【請求項１】
被包装物を収容可能な収容部（１２）を内部に有する凸部（１４）が外側に突設されたブリスターケース（２）と、該ブリスターケース（２）の収容部（１２）の開口部分（１２ａ）を覆うように、折り曲げられた状態で配設された引き抜き用シート（４）と、前記ブリスターケース（２）の凸部（１４）が挿入されて該凸部（１４）を突出させるための孔（９）が穿設された一片（３ａ）、及び前記被包装物を取り出すための孔（７）が穿設された他片（３ｂ）で構成され、該一片（３ａ）と他片（３ｂ）とが前記引き抜き用シート（４）の外側に設けられたカバーシート（３）とでブリスターパック本体（１）が構成され、前記折り曲げられた引き抜き用シート（４）の対面する２片のうち、１片のみが前記ブリスターパック本体（１）の外側に延設されているとともに、該延設された引き抜き用シート（４）を挟持する挟持用シート（１５）が設けられて、該挟持用シート（１５）と前記延設された引き抜き用シート（４）とで把持片（１６）が形成され、該把持片（１６）を把持してブリスターパック本体（１）と反対側へ引っ張ることによって、前記引き抜き用シート（４）が前記ブリスターパック本体（１）の外側に引き抜かれた際に、前記被包装物を前記カバーシート（３）の他片（３ｂ）の孔（７）から落下させて該被包装物がブリスターケース（２）の収容部（１２）から取り出し可能となるように構成されていることを特徴とするブリスターパック。
【請求項２】
前記ブリスターケース（２）は、前記凸部（１４）が形成された一片（２ａ）と、前記被包装物を取り出すための孔（５）が穿設された他片（２ｂ）とで構成され、該ブリスターケース（２）の他片（２ｂ）側の孔（５）は、前記カバーシート（３）の他片（３ｂ）側に穿設された孔（７）と連通して、該連通するブリスターケース（２）の孔（５）及びカバーシート（３）の孔（７）から被包装物を落下させて該被包装物がブリスターケース（２）の収容部（１２）から取り出し可能となるように構成されている請求項１記載のブリスターパック。
【請求項３】
把持片（１６）に、指を挿入するための孔が穿設されている請求項１又は２記載のブリスターパック。
【発明の詳細な説明】
【技術分野】
【０００１】
本発明は、ブリスターパック、さらに詳しくは、錠剤やカプセル等の医薬品、食品、化粧品等の被包装物の包装に用いるブリスターパックに関する。
【背景技術】
【０００２】
従来、錠剤やカプセル等の医薬品の包装には、プラスチック製の成形シートに複数の凸部を形成し、この凸部内の収容部に固形剤からなる医薬品を収容してシールシートで密封し、服用時には上記凸部を押圧することにより固形剤からなる医薬品でシールシートを押し破って取り出すようにした、いわゆるＰＴＰ包装と称されるブリスターパックがある。このＰＴＰ包装のブリスターパックは、固形剤が個々に包装されていること、計数管理が容易であること、コンパクトで保管等が容易であること、取り出し操作が比較的簡単であること等の利点から、固形剤の包装に多用されている。そして、このようなＰＴＰ包装のブリスターパックに関する発明として、たとえば下記特許文献１のような特許出願がなされている。
【０００３】
ところが、この特許文献１に開示されたような従来のＰＴＰ包装のブリスターパックは、取出し操作が比較的簡単であるとはいえ、凸部を一つずつ押圧して固形剤を押出さなければならず、たとえば老人等のように握力の弱い使用者が使用する場合には、取出しが困難となることもあった。
【０００４】
そこで、このような問題点を解決するために、たとえば下記特許文献２のような特許出願がなされている。この特許文献２に記載された発明は、１回に取り出される収容部のみを開封して所定数量の被包装物を正確に且つ簡単に取り出すことができ、且つ錠剤、カプセル剤はもちろんのこと、顆粒剤、ゼリー、液剤などの被包装物や、崩壊錠のように壊れ易い被包装物の包装にも適用できるようなブリスターパックを提供するものである。
【０００５】
このブリスターパックは、複数の凸部２を形成した成型シート４にシールシート５を貼り合わせて各凸部２内の収容部３を個別密封し、上記シールシート５にスリット６を設けて、このスリット６によりシールシート５を１回に取り出される収容部３全体を覆う開封部７に区画し、この開封部７におけるシールシート５の破断強度を、シールシート５と成型シート４との接着強度よりも高く設定し、上記開封部７の縁部に掴み部８を設けて、この掴み部８を引っ張ることにより開封部７を成型シート４から引き剥がし可能に構成したものである。
【０００６】
しかしながら、このようなブリスターパックにおいては、区画された開封部を成型シート４から引き剥がすことによって、被包装物を取り出すように構成されているので、取り出す際に錠剤やカプセル等の被包装物が不用意に飛び出す可能性がある。
【０００７】
一方、ＰＴＰ包装等の医薬品用ではないが、本発明に最も近似する先行技術として、下記特許文献３に開示された発明がある。この特許文献３に係る発明は、商品を収容する収容凹部を有するブリスターケースと、上記収容凹部に対向する状態で上記ブリスターケースの背部に配設され上記ブリスターケースの一側から他側に向かってスライドさせる台紙とを備え、上記ブリスターケースの背面に上記収容凹部の開口部を覆うようにしてシート材を剥離可能に貼着し、このシート材の一側端部と台紙の一側端部とを連結し、上記台紙を一側から他側に向かってスライドさせることにより上記シート材の一側端部を他側に引っ張って上記ブリスターケースの背面から剥離させるように構成したものである。
【０００８】
しかしながら、この特許文献３に係る発明では、台紙とシート材とが接続され、台紙を引っ張ることでシート材が引き出され、それによって開封可能とする構成であり、台紙を引っ張ったときに、台紙とシート材とが不用意に分離するおそれがある。
【０００９】
【特許文献１】特開２００３−２２６３６０号公報
【特許文献２】特開２００１−４６４６９号公報
【特許文献３】特開２００６−１６８７６０号公報
【発明の開示】
【発明が解決しようとする課題】
【００１０】
本発明は、このような問題点を解決するためになされたもので、ＰＴＰ包装等として使用するブリスターパックを開封する際において、従来のように凸部を押圧する等の操作を必要とすることなく、また凸部内の収容部から被包装物が不用意に飛び出すおそれがなく、
さらに上記のような開封時の引き抜き手段としての台紙とシート材との不用意な分離が生じることのないブリスターパックを提供することを課題とする。
【課題を解決するための手段】
【００１１】
本発明は、上記課題を解決するためになされたもので、被包装物を収容可能な収容部を内部に有する凸部が外側に突設されたブリスターケースと、該ブリスターケースの収容部の開口部分を覆うように、折り曲げられた状態で配設された引き抜き用シートと、前記ブリスターケースの凸部が挿入されて該凸部を突出させるための孔が穿設された一片、及び前記被包装物を取り出すための孔が穿設された他片で構成され、該一片と他片とが前記引き抜き用シートの外側に設けられたカバーシートとでブリスターパック本体が構成され、前記折り曲げられた引き抜き用シートの対面する２片のうち、１片のみが前記ブリスターパック本体の外側に延設されているとともに、該延設された引き抜き用シートを挟持する挟持用シートが設けられて、該挟持用シートと前記延設された引き抜き用シートとで把持片が形成され、該把持片を把持してブリスターパック本体と反対側へ引っ張ることによって、前記引き抜き用シートが前記ブリスターパック本体の外側に引き抜かれた際に、前記被包装物を前記カバーシートの他片の孔から落下させて該被包装物がブリスターケースの収容部から取り出し可能となるように構成されていることを特徴とするブリスターパックを提供する。
【００１２】
ブリスターケースは、凸部が形成された一片と、被包装物を取り出すための孔が穿設された他片とで構成し、該ブリスターケースの他片側の孔は、カバーシートの他片側に穿設された孔と連通させ、該連通するブリスターケースの孔及びカバーシートの孔から被包装物を落下させて該被包装物がブリスターケースの収容部から取り出し可能となるように構成することも可能である。また引き抜き用シートは、合成樹脂製フィルムにアルミニウムをラミネートしたアルミニウムラミネートフィルムで構成されていることが好ましい。さらに、把持片に、指を挿入するための孔が穿設されていることが好ましい。
【発明の効果】
【００１３】
本発明のブリスターパックは、上述のように把持片を把持し、引き抜き用シートをブリスターパック本体から引き抜くことによってブリスターパック本体からの被包装物の取り出しを行うことができるものであるため、従来のように被包装物が収容された凸部を押圧する等の操作を必要とすることがなく、また上記特許文献２に係る発明のようにシートを捲って被包装物を取り出すような構成のものではないので、被包装物を取り出す際に被包装物が不用意に飛び出すようなおそれもない。
【００１４】
さらに、引き抜き用シートは折り曲げられた状態でブリスターパック本体内に配設され、
折り曲げられた引き抜き用シートの対面する２片のうち、１片のみがブリスターパック本体の外側に延設されているとともに、該延設された引き抜き用シートを挟持する挟持用シートが設けられて、該挟持用シートと前記延設された引き抜き用シートとで把持片が形成されており、把持片を把持して引き抜き用シートを引き抜く場合に、引き抜き用シートは挟持用シートとともに挟持された状態で引き抜かれることとなるので、挟持用シートと引き抜き用シートとが分離されるようなことはなく、安定した状態で引き抜き操作が行われることとなり、上記特許文献３のように、台紙を引っ張ったときに、台紙とシート材とが不用意に分離するおそれがあるというような問題も生じないのである。
【００１５】
さらに、引き抜き用シートが、ブリスターケースの収容部の開口部分を覆うように折り曲げられた状態でブリスターパック本体内に配設されているので、収容部内に収容されている被包装物に対する保護効果が向上するという効果がある。しかも、把持片を把持して引き抜き用シートを引き抜く操作を行うときに、引き抜き用シートの折り返し状態が自動的に解消されるので、把持片を把持して引き抜き用シートを引き抜く１回の操作のみで被包装物を取り出すことができ、引き抜き操作が簡易に行えることとなる。
【００１６】
さらに、ブリスターケースの収容部の開口部分を上向きとした状態で引き抜き用シートの引き抜き操作を行うことによって、引き抜き用シートをブリスターパック本体から引き抜いた後においても、被包装物を落下させることなく、収容部内に収容したままの状態に維持することができ、従って、どのような場所ででも被包装物の取り出し作業を行うことができるという効果がある。
【発明を実施するための最良の形態】
【００１７】
以下、一実施形態のブリスターパックについて図面に従って説明する。
【００１８】
一実施形態のブリスターパックは、図１及び図２に示すように、ブリスターパック本体１と、把持片１６とで構成されている。ブリスターパック本体１は、被包装物を収容可能な収容部を有するブリスターケース２と、該ブリスターケース２の収容部１２の開口部分１２ａを覆うように、折り曲げられた状態で配設された引き抜き用シート４と、前記ブリスターケース２の外側に貼着されたカバーシート３とで構成されている。
【００１９】
ブリスターケース２は全体が合成樹脂で構成され、折曲部２ｃを介して一片２ａと他片２ｂとが連設され、さらに該他片２ｂから延長片２ｄが延設されることによって構成されている。延長片２ｄは、ミシン目１３を介して前記他片２ｂから分断しうるように構成されている。そして、前記ブリスターケース２の一片２ａの外側に凸部１４が突設されており、該凸部１４の内部が、前記被包装物が収容されうる収容部１２として形成されている。
また、前記ブリスターケース２の他片２ｂと延長片２ｄとには、孔５及び孔６がそれぞれ穿設されている。
【００２０】
またカバーシート３は、ラベルとなりうる薄紙で構成され、表面に文字等の情報を筆記、
捺印、刻印、レーザーマーカー等の印字、印刷等しうるように構成されている。このカバーシート３は、前記ブリスターケース２と同様に折曲部３ｃを介して一片３ａと他片３ｂとが連設されることによって構成されている。また、前記カバーシート３の他片３ｂには、孔７が穿設されている。さらにカバーシート３の一片３ａにも孔９が穿設され、該孔９に前記ブリスターケース２の凸部１４が挿入され、該孔９から凸部１４が突出されている。
【００２１】
さらに引き抜き用シート４は、合成樹脂製フィルムにアルミニウムをラミネートしたアルミニウムラミネートフィルムで構成され、前記ブリスターケース２と同様に折曲部４ｃを介して一片４ａと他片４ｂとが連設され、さらに該他片４ｂから延長片４ｄが延設されることによって構成されている。この引き抜き用シート４の延長片４ｄには、前記ブリスターケース２の延長片２ｄに穿設された孔６と連通するように、孔１９が穿設されている。
【００２２】
また、引き抜き用シート４の延長片４ｄの外側面と、ブリスターケース２の延長片２ｄの外側面には、挟持用シート１５、１５が貼着されている。この挟持用シート１５、１５は、前記カバーシート３と同材質のラベルとなりうる薄紙からなり、カバーシート３と同様に表面に文字等の情報を筆記、捺印、刻印、レーザーマーカー等の印字、印刷等しうるように構成されている。そして、挟持用シート１５、１５には、前記ブリスターケース２の延長片２ｄの孔６及び引き抜き用シート４の延長片４ｄの孔１９と連通するように、それぞれ孔８、１０が穿設されている。
【００２３】
このような挟持用シート１５、１５が設けられた結果、引き抜き用シート４の延長片４ｄは、該挟持用シート１５、１５に挟持された状態となる。そして、このような引き抜き用シート４の延長片４ｄ、ブリスターケース２の延長片２ｄ、及び両側の挟持用シート１５、１５によって、把持片１６が形成されている。
【００２４】
ブリスターケース２、カバーシート３、及び引き抜き用シート４は、図１に示すように平面略長方形状に形成され、ブリスターケース２の凸部１４は平面略長円状に形成されている。また、ブリスターケース２の孔５及びカバーシート３の孔７は、平面略長円状に形成されている。さらに、ブリスターケース２の孔６、引き抜き用シート４の孔１９、及び
挟持用シート１５、１５の孔８、１０は、図１に示すようにそれぞれ平面円形状に形成されている。
【００２５】
そして、このような構成からなるブリスターパック１７を展開した状態は、図３及び図４に示すように、ブリスターパック本体１の一片１ａ及び他片１ｂが折曲部１ｃを介して連設された状態であるとともに、該他片１ｂから把持片１６が連設された状態とされており、ブリスターパック本体１の折曲部１ｃを介して一片１ａを他片１ｂ側に折り曲げることによって、上記図１及び図２のようにブリスターパック１７が構成されたものである。
【００２６】
このように、ブリスターパック本体１の一片１ａ及び他片１ｂ、並びに把持片１６の３つの片が連設されて構成されたブリスターパック１７が、さらに上記連設方向と交差する方向に複数連設されることによって、図５に示すような、ブリスターパック連設体１８が得られることとなる。この場合、１のブリスターパック１７の一片１ａ及び他片１ｂと、その１のブリスターパック１７に隣接するブリスターパック１７の一片１ａ及び他片１ｂとの境界線部分には、ミシン目２０が形成されている。ただし、このようなミシン目２０を形成することは条件となるものではなく、ミシン目２０を形成せずに複数のブリスターパック１７を連接してブリスターパック連設体１８を構成することも可能である。
【００２７】
また、１のブリスターパック１７の把持片１６と、その１のブリスターパック１７に隣接するブリスターパック１７との境界線部分には切込２１が形成されている。従って把持片１６の部分においては、隣接するブリスターパック１７、１７の相互間は連設された状態となっていない。ただし、このような切込２１を形成して非連設状態とすることなく、ミシン目を介して連設状態とすることも可能である。この場合には、ミシン目を介して隣接するブリスターパック１７、１７の把持片１６ごとに分断した上で、把持片１６を把持して引き抜き用シート４の引き抜き操作が行われることとなる。
【００２８】
本実施形態のブリスターパック１７は、たとえばカプセル、錠剤等の医薬品の包袋用として用いられる。その際、被包袋物として単位あたりの医薬品（カプセル剤であれば１カプセル、錠剤であれば１錠）が１つのブリスターパック１７の収容部１２内に収容されるので、上記図５に示すようなブリスターパック連設体１８には、ブリスターパック１７が連設された個数分の医薬品が収容されることとなる。たとえば上記図５の例では、６個のブリスターパック１７が連設されてブリスターパック連設体１８が構成されているので、６カプセル又は６錠の医薬品が収容されることとなる。
【００２９】
このようなブリスターパック連設体１８は、一般のＰＴＰ包装等の場合と同様に、製薬メーカーによって販売される商品としての流通時や、調剤薬局等から患者に提供される処方時等において、複数のブリスターパック１７が連設されたままの状態で使用される。
【００３０】
患者等、医薬品を投与する使用者が使用する際にも、ブリスターパック連設体１８の状態で開封や被包装物の取り出しを行うことができるが、予めブリスターパック連設体１８をブリスターパック１７ごとに分断した後に、開封や被包装物の取り出しを行うことも可能である。
【００３１】
上記図５では、ブリスターパック連設体１８を展開した状態が示されているが、ブリスターパック連設体１８の使用前には、上記図１、２等に示すように、折曲部２ｃを介してブリスターパック１７の一片２ａが他片２ｂ側に折り曲げられた状態とされ、そのように一片２ａが他片２ｂ側に折り曲げられた状態のブリスターパック１７が複数連設されて
ブリスターパック連設体１８が形成された状態とされている。
【００３２】
尚、本実施形態では、便宜上、１個の被包袋物を収容しうるものをブリスターパック１７とし、そのブリスターパック１７を複数連設したものをブリスターパック連設体１８として説明したが、本発明における「ブリスターパック」とは、本実施形態における１個の被包袋物を収容しうるブリスターパック１７のみならず、上記ブリスターパック連設体１８のように、１個の被包袋物を収容しうるものをさらに複数連設したようなものも含む意味であり、従ってブリスターパックに具備されている収容部１２の個数も問わないものである。
【００３３】
次に、このような構成からなるブリスターパックを開封する場合について説明する。上述のように、患者等の使用者は、複数のブリスターパック１７が連設されたブリスターパック連設体１８の状態で開封や被包装物の取り出しを行うことができ、また予めブリスターパック連設体１８をブリスターパック１７ごとに分断した後に、開封や被包装物の取り出しを行うこともできる。
【００３４】
しかしながら、いずれの手順を採用しても、被包装物を取り出す操作及び作用は共通するので、ここでは、便宜上、１個のブリスターパック１７のみに着目し、そのブリスターパック１７を開封して被包装物を取り出す操作と作用について説明する。
【００３５】
先ず、図６に示すようにブリスターケース２の凸部１４を下向き、すなわちブリスターケース２の収容部１２の開口部分１２ａを上向きとし、その状態で、同図に示すように把持片１６を同図の矢印方向に引っ張る。
【００３６】
この場合において、把持片１６を構成するブリスターケース２の延長片２ｄ、引き抜き用シート４の延長片４ｄ、及び挟持用シート１５、１５には、それぞれ孔６、孔１９、孔８、孔１０が穿設されているため、その孔６、孔８、孔１９、孔１０に指を挿入して把持片１６を把持することで、握力の弱い老人等の使用者であっても、引き抜き用シート４に直接指を触れつつ、その引き抜き用シート４を矢印方向に容易に引き抜くことができる。
【００３７】
そして、そのまま把持片１６を図７の矢印方向に引っ張ることで、折曲部４ｃを介して一片４ａが他片４ｂ側に折り曲げられた引き抜き用シート４の折り返し状態が解除され、さらに把持片１６を図７の矢印方向に引っ張ることで、引き抜き用シート４は図８に示すようにブリスターパック本体１から抜き出されることとなる。
【００３８】
この場合において、被包装物を収容するブリスターケース２の収容部１２の開口部分１２ａが上向きとなるようにブリスターパック本体１を反転させた状態で引き抜き用シート４の引き抜き操作を行っているので、引き抜き用シート４をパック本体１から抜き出した後においても、被包装物は図８に示すように収容部１２内に収容されたままの状態に維持される。
【００３９】
そして、ブリスターパック本体１から被包装物を取り出す場合には、図９のようにブリスターパック本体１を反転させることによって、連通状態とされているブリスターケース２の孔５及びカバーシート３の孔７から被包装物１１を落下させることができ、被包装物の取り出しを容易に行うことができるのである。
【００４０】
本実施形態では、上記のように折曲部４ｃを介して一片４ａを他片４ｂ側に折り曲げた状態で引き抜き用シート４をパック本体１内に収容するとともに、その折り曲げられた引き抜き用シート４でブリスターケース２の収容部１２を閉塞し、把持片１６を把持して引き抜き用シート４をブリスターパック本体１から引き抜くことで被包装物１１をパック本体１から取り出すことを可能としたものであるため、凸部を押して被包装物を取り出すような操作や、シールシートをブリスターケース２から剥離するような操作を必要とせず、操作中に被包装物１１がブリスターパック本体１から不用意に落下するおそれもない。
【００４１】
また、本実施形態では、上記のように折曲部４ｃを介して一片４ａを他片４ｂ側に折り曲げた状態で引き抜き用シート４をパック本体１内に収容しているので、引き抜き用シート４が２重の状態でブリスターケース２の収容部１２の開口部分１２ａを覆うように配設された状態となり、収容部１２内に収容されている被包装物１１に対する保護効果が向上する。
【００４２】
しかも、把持片１６を把持して引き抜き用シート４を引き抜く操作を行うときに、引き抜き用シート４の折り返し状態が自動的に解消されるので、把持片１６を把持して引き抜き用シート４を引き抜く１回の操作のみで被包装物１１を取り出すことができ、引き抜き操作が簡易に行えることとなる。
【００４３】
尚、上記実施形態では、カバーシート３として全体がラベルとなりうる薄紙で構成したが、これに限らず、たとえば全体が台紙となりうるような厚紙で構成することも可能である。この場合には、図１０に示すように、ブリスターケース２は、凸部１４を有する周辺部分のみに設けられており、上記図１、２等の実施形態のように折曲部２ｃを介して一片２ａと他片２ｂとが連設され、さらに該他片２ｂから延長片２ｄが延設されるような構成とはされていない。
【００４４】
また、この図１０の実施形態では、同図にように、把持片１６を構成する挟持用シート１５、１５が、折曲部１５ａを介して折り曲げられて形成されている。そして、この挟持用シート１５も、上記カバーシート３と同様に厚紙で構成されている。把持片１６を把持し、引き抜き用シート４をブリスターパック本体１から引き抜くことによって被包装物１１をブリスターパック本体１から取り出す作用等については、上記図１等の実施形態と同じであるため、その詳細な説明は省略する。
【００４５】
さらに、上記実施形態では、把持片１６がパック本体１から延長して形成されていたが、これに限らず、たとえば図１１に示すように、把持片１６がパック本体１に対して折り曲げられたような状態で設けられていてもよい。この場合には、図１２に示すように折り曲げられていた把持片１６を展開し、その状態で上記図１の実施形態と同様に把持片１６を把持して引き抜き用シート４をブリスターパック本体１から引き抜くことになる。
【００４６】
さらに、上記実施形態では、ブリスターパック本体１や把持片１６を、平面略長方形状に形成したが、ブリスターパック本体１や把持片１６の形状は該実施形態に限定されるものではない。またブリスターケース２の凸部１４の形状や孔５、７の形状も上記実施形態の平面略長円形状に限定されない。さらに、孔６、８、１０、１９の形状も上記実施形態の平面円形状に限定されない。
【００４７】
さらに、ブリスターケース２の材質も、ポリエチレンやポリプロピレン等のポリオレフィン系合成樹脂、ポリエステル、ポリ塩化ビニル等の種々の合成樹脂の素材を用いることが可能であり、その材質は問わない。さらに、アルミニウムと合成樹脂製シートとをラミネートしたいわゆるアルミ成形フィルムのようなものを使用することも可能である。このようなアルミ成形フィルムとしては、たとえば脂肪族ポリアミドやポリエチレンテレフタレート等からなるベースフィルムにアルミニウムを積層し、そのアルミニウムにポリ塩化ビニルやポリプロピレン等を積層して多層構造にしたようなものが用いられる。
【００４８】
さらに上記実施形態では、引き抜き用シート４の全体がアルミニウムラミネートフィルムで構成されていたが、引き抜き用シート４の材質も上記実施形態に限定されない。ただし、アルミニウムラミネートフィルムで構成することによって、たとえばアルミ箔等を用いる場合に比べてしわの発生を大幅に軽減することができるという利点がある。また、アルミニウムと合成樹脂製フィルムとのラミネートフィルムであるので、引き抜き時において、引き抜き用シート４が不用意に破損するようなおそれもない。
【００４９】
尚、引き抜き用シート４の材質としては上記のようなアルミニウムラミネートフィルムやアルミ箔等に限らず、アルミニウム等の金属を含まない合成樹脂製フィルムのみからなるようなものを使用することも可能である。この場合、２種以上の合成樹脂をラミネートしたフィルムを用いることも可能であるが、ラミネートしていない単層の合成樹脂製フィルムを用いることも可能である。
【００５０】
また、上記実施形態では、カバーシート３や把持片１６の材質として、ラベルに用いることができるような薄紙や、厚紙等の紙製のものを使用したが、カバーシート３や把持片１６の材質も紙に限定されるものではなく、たとえば合成樹脂製のシートを用いることも可能である。
【００５１】
さらに上記実施形態では、ブリスターケース２が、１枚の合成樹脂製シートを折り曲げることにより、折曲部２ｃを介して一片２ａと他片２ｂとが連設されて構成されていたが、このように１枚の合成樹脂製シートの折り曲げによって形成せず、たとえば２枚の合成樹脂製シートの端部を貼り合わせることによってブリスターケース２が構成されていてもよい。またカバーシート３も同様に、上記実施形態のように折曲部３ｃを介して一片３ａと他片３ｂとが連設されることによって構成されているものに限らず、２枚の紙等の端部を貼り合わせることによって構成されたものであってもよい。
【００５２】
さらに上記実施形態では、把持片１６の構成部材である外側の挟持用シート１５、１５、ブリスターケース２の延長片２ｄ、及び引き抜き用シート４の延長片４ｄの４つの構成部材のすべてに孔８、１０、６、１９を連通状態で穿設したため、このような連通状態の孔８、１０、６、１９内に指を挿入し、その孔の内周面に指を接触させることで、引き抜き用シート４を引っ張ってブリスターパック本体１から引き抜き用シート４を引き抜く作業を非常に容易に行うことができるという好ましい効果が得られたが、このように把持片１６に連通状態の孔を穿設することは本発明に必須の条件ではない。把持片１６に孔を穿設せず、そのように孔が穿設されていない把持片１６を把持して引き抜き用シート４をブリスターパック本体１から引き抜くことも可能である。
【００５３】
尚、本発明のブリスターパックの用途も、上述のような医薬品、食品、化粧品等に限定されるものではなく、その用途は問うものではない。
【図面の簡単な説明】
【００５４】
【図１】一実施形態としてのブリスターパックのパック本体を示す平面図。
【図２】図１のＡ−Ａ線断面図。
【図３】折曲部分を展開した状態のブリスターパックの平面図。
【図４】図３のＢ−Ｂ線断面図。
【図５】ブリスターパック連設体の平面図。
【図６】引き抜き用シートを引き抜き開始直後の断面図。
【図７】引き抜き用シートの引き抜き操作中の断面図。
【図８】引き抜き用シートの引き抜き後の断面図。
【図９】パック本体から被包装物を取り出す状態を示す断面図。
【図１０】他実施形態の断面図。
【図１１】他実施形態の断面図。
【図１２】図１１のブリスターパックを展開した状態の断面図。
【符号の説明】
【００５５】
１…ブリスターパック本体      ２…ブリスターケース
３…カバーシート              ４…引き抜き用シート
１１…被包装物              １２…収容部
１６…把持片
【図１】
0005114158.tif 000002
【図２】
0005114158.tif 000003
【図３】
0005114158.tif 000004
【図４】
0005114158.tif 000005
【図５】
0005114158.tif 000006
【図６】
0005114158.tif 000007
【図７】
0005114158.tif 000008
【図８】
0005114158.tif 000009
【図９】
0005114158.tif 000010
【図１０】
0005114158.tif 000011
【図１１】
0005114158.tif 000012
【図１２】
0005114158.tif 000013